(57)【要約】【課題】重要物管理装置の入出庫作業の実行状況を管理することができる重要物管理システムの提供。【解決手段】重要物管理装置１１の管理装置制御手段３７は、出納機管理手段７７から発行された作業指示情報を記憶する。また、管理装置制御手段３７は、管理装置使用者特定手段３５，３７，３９が使用者を特定した使用者関連識別情報と、記憶している作業指示情報に含まれる使用者関連識別情報とが一致する場合に、当該作業指示情報に含まれる保管庫関連識別情報に対応する保管庫のロックを解除するとともに、当該保管庫の開閉操作を検知すると当該作業指示情報の実行完了を出納機管理手段７７に送信する。【選択図】図３
2015141470.tif 000002
【特許請求の範囲】
【請求項１】
閉状態でロックされて被管理物の保管を行う保管庫を複数有する重要物管理装置と、
該重要物管理装置に通信可能に接続されるとともに貨幣類を取り扱う出納機とを有する重要物管理システムであって、
前記出納機は、
前記保管庫を識別可能な保管庫関連識別情報と使用者を識別可能な使用者関連識別情報とを含む前記重要物管理装置への作業指示情報が入力される出納機入力手段と、
該出納機入力手段への入力に基づく作業指示情報を前記重要物管理装置へ発行するとともに作業指示情報の実行状況を管理する出納機管理手段と、を有し、
前記重要物管理装置は、
入力された使用者関連識別情報に基づいて使用者を特定する管理装置使用者特定手段と、
該管理装置使用者特定手段の特定結果に基づいて前記保管庫のロックを解除する管理装置制御手段と、を有し、
前記管理装置制御手段は、
前記出納機管理手段から発行された作業指示情報を記憶し、前記管理装置使用者特定手段が使用者を特定した使用者関連識別情報と、記憶している作業指示情報に含まれる使用者関連識別情報とが一致する場合に、当該作業指示情報に含まれる保管庫関連識別情報に対応する前記保管庫のロックを解除するとともに、当該保管庫の開閉操作を検知すると当該作業指示情報の実行完了を前記出納機管理手段に送信することを特徴とする重要物管理システム。
【請求項２】
複数の前記保管庫は、前記出納機入力手段への保管庫関連識別情報の入力が可能な保管庫と、前記出納機入力手段への保管庫関連識別情報の入力が不可な保管庫とからなっていることを特徴とする請求項１記載の重要物管理システム。
【請求項３】
前記管理装置制御手段は、前記出納機管理手段から発行された作業指示情報を記憶するタイミングに基づいて当該作業指示情報に関する計時時間の計時を開始し、当該作業指示情報に含まれる保管庫関連識別情報に対応する前記保管庫が開操作される前に前記計時時間が所定の許容時間を超えると、当該保管庫をロック状態とすることを特徴とする請求項１または２記載の重要物管理システム。
【請求項４】
前記管理装置制御手段は、前記計時時間が前記許容時間を超えた作業指示情報を前記出納機管理手段に送信し、該出納機管理手段は当該作業指示情報の実行状況を未処理終了とすることを特徴とする請求項３記載の重要物管理システム。
【請求項５】
前記出納機管理手段は、前記出納機入力手段に入力された作業指示情報に含まれる保管庫関連識別情報が未処理終了の作業指示情報に含まれている場合に、警告手段により警告することを特徴とする請求項４記載の重要物管理システム。
【請求項６】
前記出納機管理手段は、前記出納機入力手段に締め上げ操作が入力されると、実行状況が未処理終了の作業指示情報がある場合に警告手段により警告することを特徴とする請求項４または５記載の重要物管理システム。
【請求項７】
前記出納機管理手段は、前記出納機入力手段に所定の解除操作が入力されると実行状況が未処理終了の作業指示情報を消去することを特徴とする請求項４から６のいずれか一項記載の重要物管理システム。
【請求項８】
前記許容時間は設定変更可能であることを特徴とする請求項３から７のいずれか一項記載の重要物管理システム。
【請求項９】
前記許容時間は使用者関連識別情報毎に設定可能であることを特徴とする請求項３から８のいずれか一項記載の重要物管理システム。
【請求項１０】
前記出納機管理手段は、前記出納機入力手段に使用者関連識別情報の変更情報が入力されると、当該変更情報を前記重要物管理装置へ送信し、
該重要物管理装置は、変更情報に基づいて、前記管理装置使用者特定手段の使用者特定の基準となる使用者関連識別情報を変更することを特徴とする請求項１から９のいずれか一項記載の重要物管理システム。
【発明の詳細な説明】
【技術分野】
【０００１】
本発明は、重要物を保管する重要物管理装置と、重要物としての貨幣類を処理する出納機とを有する重要物管理システムに関する。
【背景技術】
【０００２】
重要物管理装置に保管された貨幣類の在高を出納機によって管理するために、出納機と重要物管理装置とを通信で接続し重要物管理装置の入出庫に伴う在高の変化を出納機の管理データに反映するようにした重要物管理システムがある（例えば、特許文献１参照）。
【先行技術文献】
【特許文献】
【０００３】
【特許文献１】特開２０１３−９７６１１号公報
【発明の概要】
【発明が解決しようとする課題】
【０００４】
上記の重要物管理システムにおいて、特に出納機に入力された操作に基づいて、これとは離れて設置される重要物管理装置に対し入出庫が行われる場合に、入出庫作業が忘れられてしまう可能性がある。
【０００５】
したがって、本発明は、重要物管理装置の入出庫作業の実行状況を管理することができる重要物管理システムの提供を目的とする。
【課題を解決するための手段】
【０００６】
上記目的を達成するために、請求項１に係る発明は、閉状態でロックされて被管理物の保管を行う保管庫を複数有する重要物管理装置と、該重要物管理装置に通信可能に接続されるとともに貨幣類を取り扱う出納機とを有する重要物管理システムであって、前記出納機は、前記保管庫を識別可能な保管庫関連識別情報と使用者を識別可能な使用者関連識別情報とを含む前記重要物管理装置への作業指示情報が入力される出納機入力手段と、該出納機入力手段への入力に基づく作業指示情報を前記重要物管理装置へ発行するとともに作業指示情報の実行状況を管理する出納機管理手段と、を有し、前記重要物管理装置は、入力された使用者関連識別情報に基づいて使用者を特定する管理装置使用者特定手段と、該管理装置使用者特定手段の特定結果に基づいて前記保管庫のロックを解除する管理装置制御手段と、を有し、前記管理装置制御手段は、前記出納機管理手段から発行された作業指示情報を記憶し、前記管理装置使用者特定手段が使用者を特定した使用者関連識別情報と、記憶している作業指示情報に含まれる使用者関連識別情報とが一致する場合に、当該作業指示情報に含まれる保管庫関連識別情報に対応する前記保管庫のロックを解除するとともに、当該保管庫の開閉操作を検知すると当該作業指示情報の実行完了を前記出納機管理手段に送信することを特徴とする。
【０００７】
請求項２に係る発明は、請求項１に係る発明において、複数の前記保管庫は、前記出納機入力手段への保管庫関連識別情報の入力が可能な保管庫と、前記出納機入力手段への保管庫関連識別情報の入力が不可な保管庫とからなっていることを特徴とする。
【０００８】
請求項３に係る発明は、請求項１または２に係る発明において、前記管理装置制御手段は、前記出納機管理手段から発行された作業指示情報を記憶するタイミングに基づいて当該作業指示情報に関する計時時間の計時を開始し、当該作業指示情報に含まれる保管庫関連識別情報に対応する前記保管庫が開操作される前に前記計時時間が所定の許容時間を超えると、当該保管庫をロック状態とすることを特徴とする。
【０００９】
請求項４に係る発明は、請求項３に係る発明において、前記管理装置制御手段は、前記計時時間が前記許容時間を超えた作業指示情報を前記出納機管理手段に送信し、該出納機管理手段は当該作業指示情報の実行状況を未処理終了とすることを特徴とする。
【００１０】
請求項５に係る発明は、請求項４に係る発明において、前記出納機管理手段は、前記出納機入力手段に入力された作業指示情報に含まれる保管庫関連識別情報が未処理終了の作業指示情報に含まれている場合に、警告手段により警告することを特徴とする。
【００１１】
請求項６に係る発明は、請求項４または５に係る発明において、前記出納機管理手段は、前記出納機入力手段に締め上げ操作が入力されると、未処理終了の作業指示情報がある場合に警告手段により警告することを特徴とする。
【００１２】
請求項７に係る発明は、請求項４から６のいずれか一項に係る発明において、前記出納機管理手段は、前記出納機入力手段に所定の解除操作が入力されると、未処理終了の作業指示情報を消去することを特徴とする。
【００１３】
請求項８に係る発明は、請求項３から７のいずれか一項に係る発明において、前記許容時間は設定変更可能であることを特徴とする。
【００１４】
請求項９に係る発明は、請求項３から８のいずれか一項に係る発明において、前記許容時間は使用者関連識別情報毎に設定可能であることを特徴とする。
【００１５】
請求項１０に係る発明は、請求項１から９のいずれか一項に係る発明において、前記出納機管理手段は、前記出納機入力手段に使用者関連識別情報の変更情報が入力されると、当該変更情報を前記重要物管理装置へ送信し、該重要物管理装置は、変更情報に基づいて、前記管理装置使用者特定手段の使用者特定の基準となる使用者関連識別情報を変更することを特徴とする。
【発明の効果】
【００１６】
請求項１に係る発明によれば、出納機の出納機入力手段に保管庫を識別可能な保管庫関連識別情報と使用者を識別可能な使用者関連識別情報とを含む作業指示情報が入力されると、出納機管理手段がこの作業指示情報を重要物管理装置に発行し、重要物管理装置の管理装置制御手段がこの作業指示情報を記憶する。重要物管理装置において、管理装置使用者特定手段が入力された使用者関連識別情報に基づいて使用者を特定すると、管理装置制御手段は、この使用者関連識別情報と、記憶している作業指示情報に含まれる使用者関連識別情報とが一致する場合に、この作業指示情報に含まれる保管庫関連識別情報に対応する保管庫のロックを解除する。これにより、この保管庫に対する入出庫が可能となる。また、この保管庫の開閉操作を検知すると、管理装置制御手段が、この作業指示情報の実行完了を出納機管理手段に送信し、出納機管理手段がこの実行完了を含む作業指示情報の実行状況を管理する。したがって、重要物管理装置の入出庫作業の実行状況を管理することができる。
【００１７】
請求項２に係る発明によれば、重要物の種別によって、出納機入力手段への保管庫関連識別情報の入力が可能な保管庫と、出納機入力手段への保管庫関連識別情報の入力が不可な保管庫とを分けて使用することができる。
【００１８】
請求項３に係る発明によれば、管理装置制御手段が、出納機管理手段から発行された作業指示情報を記憶するタイミングに基づいてこの作業指示情報に関する計時時間の計時を開始し、この作業指示情報に含まれる保管庫関連識別情報に対応する保管庫が開操作される前に計時時間が所定の許容時間を超えると、この保管庫をロック状態とする。このため、保管庫が作業指示から許容時間を超えてロック解除可能な状態に維持されてしまうことを規制できる。よって、セキュリティ性が向上する。
【００１９】
請求項４に係る発明によれば、計時時間が許容時間を超えた作業指示情報があると、出納機管理手段がこの作業指示情報の実行状況を未処理終了とすることになるため、計時時間が許容時間を超えた作業指示情報を、出納機側で管理できる。
【００２０】
請求項５に係る発明によれば、出納機入力手段に入力された作業指示情報に含まれる保管庫関連識別情報が、記憶している未処理終了の作業指示情報に含まれている場合に、出納機管理手段が警告手段によって警告するため、未処理の入出庫がある保管庫に対する新たな作業指示情報の入力を抑制することができる。
【００２１】
請求項６に係る発明によれば、出納機入力手段に締め上げ操作が入力されると、出納機管理手段が、記憶している未処理終了の作業指示情報がある場合に、警告手段によって警告するため、未処理の入出庫があることを作業者に認識させることができる。
【００２２】
請求項７に係る発明によれば、出納機入力手段に所定の解除操作が入力されれば、出納機管理手段が、未処理終了の作業指示情報を消去することになる。
【００２３】
請求項８に係る発明によれば、許容時間が設定変更可能であるため、入出庫が未処理の保管庫をロック状態とするまでの時間の設定自由度が向上する。
【００２４】
請求項９に係る発明によれば、許容時間が使用者関連識別情報毎に設定可能であるため、入出庫が未処理の保管庫をロック状態とするまでの時間の設定自由度が向上する。
【００２５】
請求項１０に係る発明によれば、出納機の出納機入力手段に使用者関連識別情報の変更情報が入力されると、重要物管理装置は、当該変更情報に基づいて、管理装置使用者特定手段の使用者特定の基準となる使用者関連識別情報を変更することになる。これにより、出納機で使用者関連識別情報を変更すれば、重要物管理装置の使用者関連識別情報も自動的に変更することができる。
【図面の簡単な説明】
【００２６】
【図１】本発明の一実施形態に係る重要物管理システムを示す平面図である。
【図２】本発明の一実施形態に係る重要物管理システムの重要物管理装置を示す正面図である。
【図３】本発明の一実施形態に係る重要物管理システム等を示すブロック図である。
【図４】本発明の一実施形態に係る重要物管理システムの出納機を示す斜視図である。
【発明を実施するための形態】
【００２７】
本発明の一実施形態に係る重要物管理システムを図面を参照して以下に説明する。
本実施形態に係る重要物管理システム１は、図１に示すように、金融機関等の店舗の建屋２の例えば執務室３のフロア４上に別途設置されるオープン型の重要物管理装置１１と、同じく執務室３のフロア４上に別途設置される出納機１５とを有している。これら重要物管理装置１１と出納機１５とは通信ケーブル１６を介して互いに通信可能に接続されている。なお、設置の形態はこれに限られるものではなく、例えば、重要物管理装置１１と出納機１５とを建屋２の別の部屋に設置する等の変更も可能である。
【００２８】
建屋２の例えば顧客対応室５のフロア６上には、テラーが使用する窓口機１７および顧客が使用するＡＴＭ１９が別途設置されており、出納機１５は、各窓口機１７に通信ケーブル１８を介して通信可能に接続され、各ＡＴＭ１９にも通信ケーブル２０を介して通信可能に接続されている。
【００２９】
重要物管理装置１１は、図２に示すように、コンポーネント化された複数個の耐火構造の保管庫２１が選択的に組み合わせられて一体に構成されてなる組立体２２を備えている。保管庫２１は、被管理物の保管を行うもので、管理種別毎に設けられている。保管庫２１は、大小異なる二つの大きさのものがあり、大きいものには、縦長および横長の二種類がある。
【００３０】
具体的に、組立体２２は、前面側に引き出される引き出し開閉式であって被管理物としての通帳を収納し保管する保管部２４（Ａ）が上下に二段設けられた小の保管庫２１（Ａ）と、前面側に引き出される引き出し開閉式であって被管理物としての大束紙幣、小束紙幣、棒金およびバラ紙幣を収納し保管する保管部２４（Ｂ）が上下に二段設けられた横長の大の保管庫２１（Ｂ）と、前面側に引き出される引き出し開閉式であって被管理物としてのバラ硬貨を収納し保管する保管部２４（Ｃ）が上下に二段設けられた横長の大の保管庫２１（Ｃ）とを有している。
【００３１】
複数の保管部２４（Ａ）には、それぞれ、複数冊の通帳が収納可能となっている。また、複数の保管部２４（Ｂ）には、それぞれ、大束紙幣、小束紙幣、棒金およびバラ紙幣が適宜組み合わせられて複数収納されるようになっている。複数の保管部２４（Ｃ）には、それぞれ、複数のバラ硬貨が収納可能となっている。
【００３２】
また、組立体２２は、個々に対応する被管理物としての鍵を保持する保管部２４（Ｄ）が前面側に複数設けられた小の保管庫２１（Ｄ）と、前面側に引き出される引き出し開閉式であって個々に対応する被管理物としてのＩＤカードを収納し保管する保管部２４（Ｅ）が複数設けられた小の保管庫２１（Ｅ）と、前面側に引かれて揺動する片側扉の揺動開閉式であって、図示略の鍵を保持する鍵保持部が複数設けられた被管理物としての鍵管理機２３（ｈ）を収納し保管する保管部２４（Ｆ）が一カ所のみ設けられた縦長の大の保管庫２１（Ｆ）とを有している。また、組立体２２は、前面側に引き出される引き出し開閉式の保管部２４（Ｈ）が上下に二段設けられた小の保管庫２１（Ｈ）を有している。保管部２４（Ｈ）には、被管理物としての金券を収納保管可能となっている。
【００３３】
また、組立体２２は、前面側に引かれて揺動する片側扉の揺動開閉式の保管部２４（Ｇ）が一カ所のみ設けられた小の保管庫２１（Ｇ）と、前面側に引かれて揺動する両側扉の揺動開閉式の保管部２４（Ｉ）が一カ所のみ設けられた小の保管庫２１（Ｉ）と、前面側に引かれて揺動する両側扉の揺動開閉式および前面側に引き出される引き出し開閉式の二種類の保管部２４（Ｊ）が組み合わされた小の保管庫２１（Ｊ）と、前面側に引かれて揺動する片側扉の揺動開閉式の保管部２４（Ｋ）が一カ所のみ設けられた縦長の大の保管庫２１（Ｋ）と、前面側に引き出される引き出し開閉式の保管部２４（Ｌ）が上下に二段設けられた縦長の大の保管庫２１（Ｌ）とを有している。
【００３４】
ここで、小の保管庫２１は、正面視正方形をなしており、大の保管庫２１は、小の保管庫２１と奥行きは同じであるものの、その一つが、小の保管庫２１を複数、具体的には二つ組み合わせたものと正面視が同じ大きさとなっている。よって、大の縦長の保管庫２１に対して同じ高さ範囲に二つの小の保管庫２１を上下に配置するとこれらの高さが一致することになり、大の横長の保管庫２１に対して同じ幅範囲に二つの小の保管庫２１を左右に配置するとこれらの幅が一致することになる。保管庫２１は、少なくとも大小異なる二つの大きさのものがあれば良く、例えば、大小異なる三つ以上の大きさのものがあっても良い。大小異なる三つの大きさの保管庫２１がある場合、大の保管庫２１を小の保管庫２１の三つを並べた大きさとし、中の保管庫２１を小の保管庫２１の二つを並べた大きさとしたり、大の保管庫２１を小の保管庫２１の四つを並べた大きさとし、中の保管庫２１を小の保管庫２１の二つを並べた大きさとしたりすることができる。
【００３５】
各保管部２４には、それぞれを個別に閉状態でロックする電磁式の図３に示すロック機構２７が設けられており、このロック機構２７は、ロック解除信号が入力されると図２に示す保管部２４が開放可能となるようにロックを解除する一方、ロック信号が入力されると保管部２４を閉状態でロックする。また、各保管部２４には、それぞれの開閉状態を検出する図３に示す開閉検知センサ２８が設けられている。
【００３６】
具体的には、通帳を保管する図２に示す保管庫２１（Ａ）の各保管部２４（Ａ）には、それぞれ図１に示すロック機構２７（Ａ）および開閉検知センサ２８（Ａ）が設けられている。同様に、大束紙幣、小束紙幣、棒金硬貨およびバラ紙幣を収納保管する各保管部２４（Ｂ）には、それぞれロック機構２７（Ｂ）および開閉検知センサ２８（Ｂ）が設けられている。同様に、バラ硬貨を保管する各保管部２４（Ｃ）には、それぞれロック機構２７（Ｃ）および開閉検知センサ２８（Ｃ）が設けられている。
【００３７】
鍵を保管する各保管部２４（Ｄ）には、それぞれ鍵を装着状態である閉状態でロックするロック機構２７（Ｄ）および装着状態である閉状態にあるか取り外し可能な開状態にあるかを検知する開閉検知センサ２８（Ｄ）が設けられている。ＩＤカードを保管する各保管部２４（Ｅ）には、それぞれロック機構２７（Ｅ）および開閉検知センサ２８（Ｅ）が設けられている。鍵管理機２３（ｈ）を保管する保管部２４（Ｆ）には、ロック機構２７（Ｆ）および開閉検知センサ２８（Ｆ）が設けられている。金券を保管する保管部２４（Ｈ）には、ロック機構２７（Ｈ）および開閉検知センサ２８（Ｈ）が設けられている。
【００３８】
同様にして、保管庫２１（Ｇ）の保管部２４（Ｇ）には、それぞれロック機構２７（Ｇ）および開閉検知センサ２８（Ｇ）が設けられ、保管庫２１（Ｉ）の保管部２４（Ｉ）には、それぞれロック機構２７（Ｉ）および開閉検知センサ２８（Ｉ）が設けられている。保管庫２１（Ｊ）の保管部２４（Ｊ）には、それぞれロック機構２７（Ｊ）および開閉検知センサ２８（Ｊ）が設けられ、保管庫２１（Ｋ）の保管部２４（Ｋ）には、それぞれロック機構２７（Ｋ）および開閉検知センサ２８（Ｋ）が設けられている。保管庫２１（Ｌ）の保管部２４（Ｌ）には、それぞれロック機構２７（Ｌ）および開閉検知センサ２８（Ｌ）が設けられている。
【００３９】
また、重要物管理装置１１は、図２に示すように前面側に、使用者により操作入力が行われる操作部（管理装置使用者特定手段）３５および使用者に表示を行う液晶画面等からなる表示部３６が設けられ、重要物管理装置１１を制御する図３に示す制御部（管理装置使用者特定手段，管理装置制御手段）３７と、制御プログラム等を記憶するＲＯＭ３８と、重要物管理装置１１の各保管部２４内に保管される貨幣類の在高データ等を記憶するＲＡＭ（管理装置使用者特定手段）３９とを内蔵する図２に示す一つの制御ユニット４０を有している。この制御ユニット４０は、操作部３５、表示部３６、制御部３７、ＲＯＭ３８およびＲＡＭ３９を一体に有してコンポーネント化されており、小の保管庫２１と正面視で同じ大きさをなしている。
【００４０】
そして、重要物管理装置１１は、この一つの制御ユニット４０に複数個の保管庫２１が選択的に組み合わせられて構成されるようになっている。操作部３５は、キーボード４１およびカードリーダ４２を有している。また、制御ユニット４０は、上記した通信ケーブル１６を介して出納機１５との間でデータを送受信する図３に示す送受信部４３を有している。ＲＡＭ３９は、入出庫により変動する重要物管理装置１１の入出庫データおよびこれに基づく重要物管理装置１１の在高データ、使用者関連識別情報のマスタデータおよび出納機１５から発行された作業指示情報等を記憶する。
【００４１】
また、重要物管理装置１１は、図２に示すように、小の保管庫２１と同じ大きさにコンポーネント化されたフリー空間形成体４５を有している。ここで、重要物管理装置１１は、上記した制御ユニット４０に複数個の保管庫２１が選択的に組み合わせられて全体として正面視が矩形状をなすことになり、その際に、制御ユニット４０も保管庫２１も配置されない部分を埋めるようにフリー空間形成体４５が配置される。フリー空間形成体４５は枠状をなしており、内側が空間となっている。フリー空間形成体４５が配置されたスペースには、これと交換する形で、後に保管庫２１を追加可能となっている。
【００４２】
そして、制御ユニット４０と、複数個の保管庫２１およびフリー空間形成体４５の適宜のものとが、前面を揃えた状態で、隣り合うもの同士が図示略の連結具で連結されることで、正面視矩形状をなす組立体２２が組み上がることになる。
【００４３】
具体的に、図２に示す組立体２２には、通帳を収納する小の保管庫２１（Ａ）が正面から見て左側の上側に上下二段に設けられており、その下側に縦長の大の保管庫２１（Ｌ）が一つ設けられている。また、これら保管庫２１（Ａ）および保管庫２１（Ｌ）の右隣に、縦長の大の保管庫２１（Ｋ）が上下二段に設けられ、これらの右隣に、上側から順に、制御ユニット４０、フリー空間形成体４５、小の保管庫２１（Ｈ）、小の保管庫２１（Ｇ）が設けられている。また、これらの右隣に、上側から順に、小の保管庫２１（Ｄ）、小の保管庫２１（Ｅ）、小の保管庫２１（Ｊ）、小の保管庫２１（Ｉ）が設けられ、これらの右隣に、上側から順に、小の保管庫２１（Ｄ）、小の保管庫２１（Ｅ）、横長の大の保管庫２１（Ｂ）、横長の大の保管庫２１（Ｃ）が設けられている。小の保管庫２１（Ｄ）、小の保管庫２１（Ｅ）の右隣であって、横長の大の保管庫２１（Ｂ）の上側に、縦長の大の保管庫２１（Ｆ）が設けられている。
【００４４】
さらに、この組立体２２の後側には、各保管庫２１と制御ユニット４０とを通信可能に接続する通信ケーブル等を配索するための図１に示す配索スペース形成カバー４７が図示略の連結具で一体的に取り付けられており、これら組立体２２および配索スペース形成カバー４７で重要物管理装置１１が構成されている。なお、高さおよび横幅の異なる配索スペース形成カバー４７が複数種類準備されることになり、いずれかの配索スペース形成カバー４７と正面視の大きさが合うように、制御ユニット４０と、複数個の保管庫２１とを組み合わせ、必要によりフリー空間形成体４５をも組み合わせる。例えば、図２に示す、小の保管庫２１の四つ分の高さおよび小の保管庫２１六つ分の幅を有する組立体２２の背面を覆う、小の保管庫２１の四つ分の高さおよび小の保管庫２１の六つ分の幅を有する図１に示す配索スペース形成カバー４７の他に、例えば、小の保管庫２１の四つ分の高さおよび小の保管庫２１の五つ分の幅を有する配索スペース形成カバー４７、小の保管庫２１の四つ分の高さおよび小の保管庫２１の四つ分の幅を有する配索スペース形成カバー４７、小の保管庫２１の四つ分の高さおよび小の保管庫２１の三つ分の幅を有する配索スペース形成カバー４７、小の保管庫２１の三つ分の高さおよび小の保管庫２１の六つ分の幅を有する配索スペース形成カバー４７等を、必要に応じて準備する。
【００４５】
上記のようにして組み立てられた重要物管理装置１１が配索スペース形成カバー４７を壁に近接させて例えば執務室３のフロア４上に設置されることになり、これにより、重要物管理装置１１の制御ユニット４０の前面および複数個の保管庫２１の前面が執務室３の室内側に向いて設置されることになる。なお、重要物管理装置１１には必要により下部に図２に示す転動ロック付きのキャスタ４８が取り付けられることになり、フロア４上での移設が可能になっている。
【００４６】
図４に示す出納機１５は、被管理物のうちの紙幣、硬貨および金券等の貨幣類を取り扱うもので、金融機関等の店舗に設置されて店舗全体の貨幣処理を管理するものである。出納機１５は、例えば、大口顧客に対する係員による入金、出金等の取引処理、係員による渉外先への持ち出し金の出金処理や、渉外先からの持ち帰り金の入金処理、さらには、営業終了後の金融機関店舗全体での入出金状況の締め上げ管理等を行うものである。
【００４７】
出納機１５は、紙幣についての入出金処理等を行う紙幣処理装置５５と、紙幣の特に新券についての出金処理等を行う新券処理装置５６と、硬貨についての入出金処理等を行う硬貨処理装置５７とが左右に並設されて構成されている。
【００４８】
紙幣処理装置５５は、その前面側の上部に、機外からバラ紙幣が投入されるとともに機内から出金用のバラ紙幣が繰り出されるバラ紙幣入出金口６０が設けられている。バラ紙幣入出金口６０の下側には、入金処理で受け付け不可と判定された入金リジェクト紙幣が機内から繰り出される入金リジェクト口６１が設けられている。バラ紙幣入出金口６０よりも上側には、機内でバラ紙幣を所定枚数集積して結束してなる小束紙幣を機外に取り出し可能とする束出金口６２が設けられている。
【００４９】
新券処理装置５６には、その前面側の上部に、機内から出金用の新券のバラ紙幣が繰り出される新券出金口６５が設けられている。
【００５０】
硬貨処理装置５７は、その前面側の上部に、機外からバラ硬貨が投入されるバラ硬貨入金口６８が設けられている。バラ硬貨入金口６８の下側には、入金処理で受け付け不可と判定された入金リジェクト硬貨が機内から繰り出される入金リジェクト口６９が設けられている。入金リジェクト口６９の下側には、機内から出金用のバラ硬貨が繰り出されるバラ硬貨出金口７０が設けられている。前面側の上部には、機内でバラ硬貨を所定枚数集積して包装してなる棒金硬貨を機外に取り出し可能とする棒金出金口７１が設けられている。
【００５１】
出納機１５は、硬貨処理装置５７の上部に、使用者により操作入力が行われる操作部（出納機入力手段）７５と、使用者に表示を行う液晶画面等からなる表示部（警告手段）７６とを有しており、操作部７５は、キーボード８１およびカードリーダ８２を有している。出納機１５は、図３に示すように、出納機１５を制御する制御部（出納機管理手段）７７と、制御プログラム等を記憶するＲＯＭ７８と、出納機１５内の在高データ等を記憶するＲＡＭ（出納機管理手段）７９と、上記した通信ケーブル１６を介して重要物管理装置１１との間でデータを送受信する送受信部８０とを有している。送受信部８０は、通信ケーブル１８を介して店舗内のすべての窓口機１７との間でデータを送受信可能となっており、通信ケーブル２０を介して店舗内のすべてのＡＴＭ１９との間でデータを送受信可能となっている。
【００５２】
出納機１５のＲＡＭ７９は、出金および入金で変動する出納機１５内の貨幣類の在高データと、重要物管理装置１１から送信され送受信部８０で受信した重要物管理装置１１内の貨幣類の在高データと、各窓口機１７から送信され送受信部８０で受信した各窓口機１７内の貨幣類の在高データと、各ＡＴＭ１９から送信され送受信部８０で受信した各ＡＴＭ１９内の貨幣類の在高データと、出納機１５から出金および入金される際に操作部７５に入力される手元管理の貨幣類の在高データとを記憶する。これにより、出納機１５は、店舗内のすべての貨幣類の在高データを一元管理するようになっている。また、ＲＡＭ７９は、使用者関連識別情報のマスタデータ、作業指示情報およびその実行状況等を記憶する。
【００５３】
重要物管理装置１１の一の入出庫処理の実行に当たっては、まず、使用者が、出納機１５において操作部７５に使用者関連識別情報を入力することになる。ここで、使用者関連識別情報は、個々の使用者を識別可能なもので、具体的には個々の使用者のそれぞれに付与された使用者識別番号等である。この使用者関連識別情報の入力は、キーボード８１への使用者ＩＤ番号の入力や、カードリーダ８２への使用者ＩＤカードの走査によって行われる。使用者関連識別情報が入力されると、制御部７７は、ＲＡＭ７９のマスタデータと照らし合わせてこの入力された使用者関連識別情報と一致する使用者関連識別情報がＲＡＭ７９のマスタデータに存在しているか否かを判断する。制御部７７は、入力された使用者関連識別情報と一致する使用者関連識別情報がＲＡＭ７９に存在していなければ、入力された使用者関連識別情報が適正でない旨を表示部７６に表示させる。
【００５４】
制御部７７は、入力された使用者関連識別情報と一致する使用者関連識別情報がＲＡＭ７９に存在すれば、使用者がこの使用者関連識別情報を有する使用者であることを特定することになり、この特定された使用者関連識別情報に関連付けてＲＡＭ７９に記憶されている、重要物管理装置１１において出庫（取り出し）および入庫（投入）可能な保管庫２１の保管庫関連識別情報を読み出し、これら保管庫関連識別情報の中から、使用者に出庫あるいは入庫する保管庫関連識別情報の操作部７５への選択入力を促す表示を表示部７６に表示させる。保管庫関連識別情報は、個々の保管庫２１を識別可能なもので、個々の保管庫２１のそれぞれに付与された識別番号や、保管庫２１毎の管理種別の識別情報等である。
【００５５】
ここで、この使用者関連識別情報に関連してＲＡＭ７９に記憶されている入出庫可能な保管庫２１の保管庫関連識別情報は、例えば使用者関連識別情報が一般職員である場合と管理職員である場合とで異なる。一般職員である場合は、入出庫可能な保管庫２１と入出庫不可な保管庫２１とがあり、管理職員である場合、すべての保管庫２１が入出庫可能となっている。よって、言い換えれば、使用者関連識別情報が一般職員である場合に、複数の保管庫２１は、出納機１５の操作部７５への保管庫関連識別情報の入力が可能な保管庫と、出納機１５の操作部７５への保管庫関連識別情報の入力が不可な保管庫とからなっている。
【００５６】
上記の表示にしたがって、使用者が、出庫あるいは入庫する保管庫２１の保管庫関連識別情報の選択操作を操作部７５に入力する保管庫選択入力操作を行う。つまり、操作部７５には、このような保管庫２１の保管庫関連識別情報（例えば保管庫２１（Ｂ）を示す保管庫関連識別情報Ｂ。以下、具体例をこのように括弧書きで示す）と、上記した使用者を識別可能な使用者関連識別情報（例えば所定の使用者を示す使用者関連識別情報Ｘ）とを含む重要物管理装置１１への作業指示情報が入力される。すると、制御部７７は、入力された保管庫関連識別情報（保管庫関連識別情報Ｂ）と、今回の前記一の入出庫処理において使用者を特定した使用者関連識別情報（使用者関連識別情報Ｘ）とを含んだ、重要物管理装置１１への今回の前記一の入出庫処理に関連する一の作業指示情報に作業指示情報識別情報（作業指示情報識別情報Ｚ）を付与し、これを送受信部８０から重要物管理装置１１の送受信部４３に送信する。つまり、制御部７７は、操作部７５への入力に基づく作業指示情報（作業指示情報識別情報Ｚ，使用者関連識別情報Ｘ，保管庫関連識別情報Ｂを含む）を重要物管理装置１１へ発行する。また、制御部７７は、前記一の作業指示情報（作業指示情報識別情報Ｚ，使用者関連識別情報Ｘ，保管庫関連識別情報Ｂを含む）の実行が待機中であることを示す実行状況をこの一の作業指示情報と関連づけてＲＡＭ７９に記憶させる。
【００５７】
上記した使用者関連識別情報および保管庫２１の保管庫関連識別情報を含む前記一の作業指示情報（作業指示情報識別情報Ｚ，使用者関連識別情報Ｘ，保管庫関連識別情報Ｂを含む）を送受信部４３で受信すると、重要物管理装置１１の制御部３７は、この一の作業指示情報をＲＡＭ３９に記憶させるとともに、この一の作業指示情報に関連付けて計時時間の計時を開始する。つまり、制御部３７は、出納機１５の制御部７７から発行された作業指示情報を記憶するタイミングに基づいて当該作業指示情報に関する計時時間の計時を開始する。
【００５８】
重要物管理装置１１においては、入出庫処理に当たって、使用者が操作部３５に使用者関連識別情報を入力することになる。制御部３７は、入力された使用者関連識別情報と一致する使用者関連識別情報がＲＡＭ３９のマスタデータに存在するという特定結果が得られれば、使用者がこの使用者関連識別情報を有する使用者であることを特定することになり、この特定された使用者関連識別情報を含んでＲＡＭ３９に一時記憶されている、例えば前記一の作業指示情報（作業指示情報識別情報Ｚ，使用者関連識別情報Ｘ，保管庫関連識別情報Ｂを含む）を読み出して表示部３６に表示させる。それとともに、制御部３７は、この作業指示情報に含まれる保管庫関連識別情報（保管庫関連識別情報Ｂ）に対応する保管庫２１（保管庫２１（Ｂ））が貨幣類を入出庫可能な保管庫２１（Ａ），２１（Ｂ），２１（Ｃ），２１（Ｈ）のいずれかである場合には、入庫であるのか出庫であるのかの選択入力と管理種別毎の金額データとの入力を促す表示を表示部３６に表示させる。これを見て使用者が操作部３５へ入庫・出庫の区別と管理種別毎の金額データとを入力すると、制御部３７は、この作業指示情報（作業指示情報識別情報Ｚ，使用者関連識別情報Ｘ，保管庫関連識別情報Ｂを含む）に含まれている保管庫関連識別情報（保管庫関連識別情報Ｂ）を有する保管庫２１（保管庫２１（Ｂ））の保管部２４（保管部２４（Ｂ））に対しそのロック機構２７（ロック機構２７（Ｂ））にロック解除信号を出力してロックを解除する。
【００５９】
計時時間が所定の許容時間内にある状態で、ロックが解除された保管庫２１（保管庫２１（Ｂ））の保管部２４（保管部２４（Ｂ））に対して、使用者が、これを開操作して、被管理物の出庫および入庫の少なくともいずれか一方を行い、この保管部２４（保管部２４（Ｂ））を閉じる。すると、この保管部２４（保管部２４（Ｂ））に設けられた開閉検知センサ２８（開閉検知センサ２８（Ｂ））がこの保管部２４（保管部２４（Ｂ））が一旦開状態になった後に閉状態になったこと、つまり開閉操作を検知することになり、これにより、制御部３７は、この保管部２４（保管部２４（Ｂ））に設けられたロック機構２７（ロック機構２７（Ｂ））にロック信号を出力して保管庫２１（保管庫２１（Ｂ））の保管部２４（保管部２４（Ｂ））をロックするとともに、今回の作業指示情報（作業指示情報識別情報Ｚ，使用者関連識別情報Ｘ，保管庫関連識別情報Ｂを含む）の実行状況が実行完了であることを示す実行完了情報を送受信部４３から出納機１５の送受信部８０に送信する。なお、制御部３７は、前記一の作業指示情報（作業指示情報識別情報Ｚ，使用者関連識別情報Ｘ，保管庫関連識別情報Ｂを含む）に対応してロックが解除された保管庫２１（保管庫２１（Ｂ））の保管部２４（保管部２４（Ｂ））が開状態となったことを開閉検知センサ２８（開閉検知センサ２８（Ｂ））が検知すると、この一の作業指示情報に関連付けされた計時時間の計時を停止しこの計時時間をリセットする。
【００６０】
出納機１５では、上記の実行完了情報を送受信部８０を介して制御部７７が受信することになり、その結果、制御部７７は、ＲＡＭ７９に前記一の作業指示情報（作業指示情報識別情報Ｚ，使用者関連識別情報Ｘ，保管庫関連識別情報Ｂを含む）に関連づけて記憶されている、実行が待機中であることを示す実行状況を、実行が完了したことを示す実行完了の実行状況に更新記憶する。さらに、制御部３７は、操作部３５へ入力された入庫・出庫の区別と管理種別毎の金額データとを、送受信部４３を介して出納機１５の送受信部８０に送信する。すると、出納機１５では、送受信部８０を介して制御部７７がこのデータを受信することになり、これ基づいて、制御部７７は、ＲＡＭ７９に記憶されている重要物管理装置１１の在高情報を更新する。
【００６１】
なお、ロックが解除された保管庫２１が保管部２４を複数有している場合には、少なくとも一方の保管部２４が開状態とされた後に、すべての保管部２４が閉状態になったことを各開閉検知センサ２８で検出すると、制御部３７は、すべての保管部２４のロック機構２７にロック信号を出力してこれらをロックすることになる。
【００６２】
以上により、重要物管理装置１１の制御部３７は、出納機１５の制御部７７から発行された作業指示情報をＲＡＭ３９に記憶する。また、制御部３７は、操作部３５に入力された使用者関連識別情報に基づいて使用者を特定すると、この特定した使用者関連識別情報と、ＲＡＭ３９に記憶されている作業指示情報に含まれる使用者関連識別情報とが一致する場合に、当該作業指示情報に含まれる保管庫関連識別情報に対応する保管庫２１の保管部２４のロックを解除するとともに、この保管庫２１の開閉操作を検知するとこの作業指示情報の実行状況を出納機１５の制御部７７に出力する。制御部７７は、これに基づいてＲＡＭ７９に記憶されているこの作業指示情報の実行状況を書き換える。
【００６３】
他方で、重要物管理装置１１の制御部３７は、例えば前記一の作業指示情報（作業指示情報識別情報Ｚ，使用者関連識別情報Ｘ，保管庫関連識別情報Ｂを含む）に関連付けされた計時時間が、前記一の作業指示情報に含まれる保管庫関連識別情報（保管庫関連識別情報Ｂ）に対応する保管庫２１（保管庫２１（Ｂ））の保管部２４（保管部２４（Ｂ））が開操作される前に所定の許容時間を超えると、前記一の作業指示情報（作業指示情報識別情報Ｚ，使用者関連識別情報Ｘ，保管庫関連識別情報Ｂを含む）に含まれる保管庫関連識別情報（保管庫関連識別情報Ｂ）に対応する保管庫２１（保管庫２１（Ｂ））のすべての保管部２４（保管部２４（Ｂ））のロック機構２７（ロック機構２７（Ｂ））にロック信号を出力してこれらをロックしロック状態とする。それとともに、制御部３７は、計時時間が許容時間を超えた前記一の作業指示情報（作業指示情報識別情報Ｚ，使用者関連識別情報Ｘ，保管庫関連識別情報Ｂを含む）を送受信部４３を介して出納機１５の送受信部８０に送信する。ここで、一つの保管庫２１に複数の保管部２４がある場合には、複数の保管部２４のうちの少なくとも一つが開操作されれば計時時間の計時を終了することになり、複数の保管部２４のうちの少なくとも一つが開操作される前に計時時間が所定の許容時間を超えると、これら保管部２４のすべてをロック状態とする。
【００６４】
出納機１５では、計時時間が許容時間を超えた前記一の作業指示情報（作業指示情報識別情報Ｚ，使用者関連識別情報Ｘ，保管庫関連識別情報Ｂを含む）を送受信部８０を介して制御部７７が受信すると、制御部７７はＲＡＭ７９に記憶されている前記一の作業指示情報（作業指示情報識別情報Ｚ，使用者関連識別情報Ｘ，保管庫関連識別情報Ｂを含む）に関連づけて記憶されている、実行が待機中であることを示す実行状況を、実行が未完了で終了したことを示す未処理終了の実行状況に更新記憶する。以上の計時時間は、使用者関連識別情報毎に設定可能であり、例えば、使用者関連識別情報が一般職員である場合と管理職員である場合とで異ならせて、一般職員である場合に比べて管理職員である場合を長くすること等が可能である。
【００６５】
制御部７７は、その後、出納機１５の操作部７５に新たに作業指示情報が入力されると、この作業指示情報に含まれる保管庫関連識別情報を、ＲＡＭ７９に記憶されている未処理終了の作業指示情報の保管庫関連識別情報と照合し、未処理終了の作業指示情報に含まれている保管庫関連識別情報に一致するものがある場合、表示部７６により未処理終了の入出庫処理がある旨の警告表示を行わせる。これにより、操作者は未処理終了の作業指示情報について適正であるか否かを確認する。この場合、新たに入力された作業指示情報については、後述する消去処理が行われない限り、以降の処理は行わず待機する。つまり入力は受け付けない。制御部７７は、表示部７６により未処理終了の入出庫処理がある旨の警告表示を行わせた後は、操作部７５に所定の解除操作が入力されると、実行状況が未処理終了である作業指示情報を消去する消去処理を行う。
【００６６】
ここで、出納機１５において、操作部７５に締め上げ操作が入力されると、制御部７７は、ＲＡＭ７９に記憶されている出納機１５内の在高データと各窓口機１７内の在高データと各ＡＴＭ１９の在高データとを加算する等の締め上げ処理を行うことになる。その際に、制御部７７は、ＲＡＭ７９に記憶されている未処理終了の作業指示情報を探し、未処理終了である作業指示情報がある場合に、表示部７６により未処理終了の入出庫処理がある旨の警告表示を行わせるようにしても良い。この場合も、制御部７７は、表示部７６により未処理終了の入出庫処理がある旨の警告表示を行わせた後は、操作部７５に所定の解除操作が入力されると、実行状況が未処理終了である作業指示情報を消去する消去処理を行う。
【００６７】
また、出納機１５において、ＲＡＭ７９に既に記憶されている使用者関連識別情報（例えば使用者関連識別情報Ｘ）の新しい使用者関連識別情報（例えば使用者関連識別情報Ｙ）への変更が操作部７５に入力されると、制御部７７は、ＲＡＭ７９に既に記憶されている使用者関連識別情報（例えば使用者関連識別情報Ｘ）を新しい使用者関連識別情報（例えば使用者関連識別情報Ｙ）へ変更するとともに、既に記憶されている使用者関連識別情報（例えば使用者関連識別情報Ｘ）の新しい使用者関連識別情報（例えば使用者関連識別情報Ｙ）への変更を示す変更情報を、送受信部８０を介して重要物管理装置１１の送受信部４３へ送信する。すると、重要物管理装置１１では、この変更情報を、送受信部４３を介して制御部３７が受信することになり、制御部３７は、この変更情報に基づいて、ＲＡＭ３９に既に記憶されている使用者関連識別情報（例えば使用者関連識別情報Ｘ）を新しい使用者関連識別情報（例えば使用者関連識別情報Ｙ）へ変更する。
【００６８】
以上に述べた本実施形態に係る重要物管理システム１によれば、出納機１５の操作部７５に保管庫２１を識別可能な保管庫関連識別情報と使用者を識別可能な使用者関連識別情報とを含む作業指示情報が入力されると、出納機１５の制御部７７がこの作業指示情報を重要物管理装置１１に発行し、重要物管理装置１１の制御部３７がこの作業指示情報をＲＡＭ３９に記憶させる。重要物管理装置１１の制御部３７は、入出庫作業に当たって操作部３５に入力された使用者関連識別情報に基づいて使用者を特定すると、この使用者関連識別情報と、ＲＡＭ３９に記憶されている作業指示情報に含まれる使用者関連識別情報とが一致する場合に、この作業指示情報に含まれる保管庫関連識別情報に対応する保管庫２１のロックを解除する。これにより、この保管庫２１に対する入出庫が可能となる。また、重要物管理装置１１の制御部３７は、この保管庫２１の開閉操作を検知すると、この作業指示情報の実行完了を出納機１５の制御部７７に送信し、制御部７７がこのような実行完了を含む作業指示情報の実行状況を管理する。したがって、重要物管理装置１１の入出庫作業の実行状況を管理することができる。
【００６９】
また、重要物の種別によって、出納機１５の操作部７５への保管庫関連識別情報の入力が可能な保管庫２１と、出納機１５の操作部７５への保管庫関連識別情報の入力が不可な保管庫２１とを分けて使用することができる。
【００７０】
また、重要物管理装置１１の制御部３７が、出納機１５の制御部７７から発行された作業指示情報を記憶するタイミングに基づいてこの作業指示情報に関する計時時間の計時を開始し、この作業指示情報に含まれる保管庫関連識別情報に対応する保管庫２１が開操作される前にこの作業指示情報に関する計時時間が所定の許容時間を超えると、この保管庫２１をロック状態とする。このため、保管庫２１が作業指示から許容時間を超えてロック解除可能な状態に維持されてしまうことを規制できる。よって、セキュリティ性が向上する。
【００７１】
また、計時時間が許容時間を超えた作業指示情報があると、出納機１５の制御部７７が、ＲＡＭ７９に記憶されているこの作業指示情報を未処理終了とすることになるため、計時時間が許容時間を超えた作業指示情報を、出納機１５側で管理できる。
【００７２】
また、出納機１５の操作部７５に入力された作業指示情報に含まれる保管庫関連識別情報が、ＲＡＭ７９に記憶されている未処理終了の作業指示情報に含まれている場合に、出納機１５の制御部７７が表示部７６によって警告するため、未処理の入出庫がある保管庫２１に対する新たな作業指示情報の入力を抑制することができる。
【００７３】
また、出納機１５の操作部７５に締め上げ操作が入力されると、ＲＡＭ７９に記憶されている作業指示情報に未処理終了の作業指示情報がある場合に、出納機１５の制御部７７が表示部７６によって警告するため、未処理の入出庫があることを作業者に認識させることができる。
【００７４】
また、出納機１５の操作部７５に所定の解除操作が入力されれば、出納機１５の制御部７７が、ＲＡＭ７９に記憶されている未処理終了の作業指示情報を消去することになる。
【００７５】
また、許容時間が設定変更可能であるため、入出庫が未処理の保管庫２１をロック状態とするまでの時間の設定自由度が向上する。
【００７６】
また、許容時間が使用者関連識別情報毎に設定可能であるため、入出庫が未処理の保管庫２１をロック状態とするまでの時間の設定自由度が向上する。
【００７７】
また、出納機１５の操作部７５に使用者関連識別情報の変更情報が入力されると、重要物管理装置１１の制御部３７は、この変更情報に基づいて、ＲＡＭ３９に記憶されている使用者関連識別情報（使用者特定の基準となる使用者関連識別情報）を変更することになる。これにより、出納機１５で使用者関連識別情報を変更すれば、重要物管理装置１１の使用者関連識別情報も自動的に変更することができる。
【符号の説明】
【００７８】
１  重要物管理システム
１１  重要物管理装置
２１  保管庫
３５  操作部（管理装置使用者特定手段）
３７  制御部（管理装置使用者特定手段，管理装置制御手段）
３９  ＲＡＭ（管理装置使用者特定手段）
７５  操作部（出納機入力手段）
７６  表示部（警告手段）
７７  制御部（出納機管理手段）
７９  ＲＡＭ（出納機管理手段）
【図１】
2015141470.tif 000003
【図２】
2015141470.tif 000004
【図３】
2015141470.tif 000005
【図４】
2015141470.tif 000006